(57)【要約】      （修正有）【課題】電源部及び制御部等からの熱がインターフェース部に伝わりにくく、インターフェース部のみの交換が可能な信号中継端子盤を提供する。【解決手段】信号中継端子盤１は一つ以上のインターフェース端子６が設けられたインターフェースパネル３と、インターフェース端子からの信号を処理して外部に出力する信号処理部及び電源部の設けられた本体部２を有する。インターフェースパネルは、本体部に対し所定幅の熱緩衝空間Ｓを介して、信号中継コネクタ２ｄ、３ｃを着脱可能に装着している。【選択図】図２
2019175916.tif 000002
【特許請求の範囲】
【請求項１】
一つ以上のインターフェース端子が設けられたインターフェースパネルと、前記インターフェース端子からの信号を処理して外部に出力する信号処理部及び電源部の設けられた本体部を有し、
前記インターフェースパネルは、前記本体部に対し所定幅の熱緩衝空間を介して、信号中継コネクタにより着脱可能に装着されていることを特徴とする信号中継端子盤。
【請求項２】
前記インターフェースパネルは、前記インターフェース端子から入力される信号を変換する変換部を有することを特徴とする請求項１記載の信号中継端子盤。
【請求項３】
前記本体部には、前記信号中継コネクタが複数設けられており、それら複数の前記信号中継コネクタを介して複数の前記インターフェースパネルが、前記本体部に対してそれぞれ着脱可能に装着されている、請求項１又は２に記載の信号中継端子盤。
【請求項４】
前記信号処理部は、前記本体部に装着された複数のインターフェースパネルから前記本体部の各信号中継コネクタを介して受信する信号から、前記外部に出力すべき信号を択一的に選択する信号切替部を有する、請求項３記載の信号中継端子盤。
【請求項５】
前記複数のインターフェースパネルは、それぞれ異なる種類のインターフェース端子を有しており、
前記複数のインターフェースパネルの各信号中継コネクタは、前記本体部側に設けられた複数の信号中継コネクタのいずれにも接続可能に構成されている、請求項３又は４記載の信号中継端子盤。
【請求項６】
前記信号切替部は、それまで選択していたインターフェースパネルからの信号とは異なる信号を別のインターフェースパネルから受信した場合、前記外部に出力すべき信号を当該別のインターフェースパネルについての信号に切り替えるように制御することを特徴する請求項４記載の信号中継端子盤。
【請求項７】
切替スイッチが設けられたインターフェースパネルが前記本体部に接続されており、
前記切替スイッチが操作された場合、前記信号切替部は、前記外部に出力すべき信号を当該切替スイッチが操作されたインターフェースパネルについての信号に切り替えるように制御することを特徴する請求項４記載の信号中継端子盤。
【請求項８】
前記本体部には、ヒートシンクが設けられている、請求項１乃至７のうちいずれか１項記載の信号中継端子盤。
【請求項９】
請求項１乃至８のうちいずれか１項記載の信号中継端子盤におけるインターフェースパネル。
【請求項１０】
請求項１乃至８のうちいずれか１項記載の信号中継端子盤における本体部。
【発明の詳細な説明】
【技術分野】
【０００１】
本発明は、壁や机などに設けられ、パーソナルコンピュータ、ＤＶＤプレイヤその他の各種の映像・音響機器等からの信号を、ＨＤＭＩコネクタ、Ｄ−サブミニチュア（Ｄ−ｓｕｂ）コネクタ、ピンジャック、ＵＳＢコネクタなどのインターフェース端子が設けられた信号中継端子盤を介して、室内、机上に配置されたディスプレイ等へ配信する際に使用される、信号中継端子盤に関する。なお、インターフェース端子には、上記のコネクタの他に押しボタンなどの操作スイッチやボリューム調整つまみ等も含まれるものとする。
【背景技術】
【０００２】
最近、映像信号ケーブル等の接続に用いられる、インターフェース端子が設けられた信号中継端子盤が、壁面や机上面に埋め込み設置された既設の端子箱に装着される形で用いられることが多くなっている。
【０００３】
この種の信号中継端子盤は、インターフェース端子が取り付けられるインターフェース部と、該インターフェース部に対する入出力信号を制御する制御部、即ち、インターフェース端子の信号の切り替えや信号の送受信などを行う制御部と電源部等からなる本体部とが、一体的に形成されていた。
【発明の概要】
【発明が解決しようとする課題】
【０００４】
従来の一般的な信号中継端子盤は十分に余裕のある大きさの筐体がヒートシンクの役割を果たすので、電源等から発生する熱にまつわる問題は起き難い。しかし筐体の大きさに最小限のものが求められる場合、熱が無視できないリスク要素となる。例えば壁面や机上面に埋め込み設置される用途では筐体に小ささが求められ、さらには通気性が期待できる環境でもないことから、発生する熱が発散せずにたまりやすい状況になる。このため埋め込み設置された信号中継端子盤は、制御部及び電源部（本体部）で生じる熱がインターフェース部に伝導して、インターフェース部が熱くなるという不都合があった。また、複数種類のインターフェース端子を信号中継端子盤に配置しようとした場合、ユーザのニーズに応じて必要なインターフェース端子をインターフェース部に配置する必要があるが、インターフェース端子が取り付けられるインターフェース部と本体部とは一体的に形成されているために、ユーザのニーズに応じたインターフェース端子を配置するカスタム対応は、端子盤の製造段階で対応する必要があり、多くの設計・製造上の手間がかかり、現実的には困難があった。
【０００５】
また、信号中継端子盤は壁面などに設置され、その状態の信号中継端子盤に各種インターフェース端子を有するケーブルが接続される。すると、インターフェース端子から出たケーブルに人間や器具などが衝突したり、引っかかったりしてしまい、インターフェース部に無理な外力が作用し、インターフェース部を破損することも多々あった。しかし、従来の信号中継端子盤はインターフェース部と本体部が一体的に形成されていたので、インターフェース部だけの故障でも、信号中継端子盤全体を交換しなければならず、不経済であり、資源の無駄に繋がっていた。
【０００６】
本発明は上記の事情を鑑みてなされたもので、電源部及び制御部等からの熱がインターフェース部に伝わりにくく、また、ユーザのニーズに応じたカスタム対応や設置後の信号中継コネクタ等の変更が可能で、しかも不具合の生じたインターフェース部のみの交換が可能な信号中継端子盤を提供することを目的とする。
【課題を解決するための手段】
【０００７】
本発明の第１の観点は、一つ以上のインターフェース端子（６）が設けられたインターフェースパネル（３）と、前記インターフェース端子（６）からの信号を処理して外部に出力する信号処理部（１２、１３）及び電源部（１０）の設けられた本体部（２）を有し、
前記インターフェースパネル（３）は、前記本体部（２）に対し所定幅の熱緩衝空間（Ｓ）を介して、信号中継コネクタ（３ｃ、２ｄ）を着脱可能に装着されて構成されることを特徴とする。
【０００８】
本発明の第２の観点は、前記インターフェースパネル（３）は、前記インターフェース端子（６）から入力される信号を変換する変換部（９）を有して構成されることを特徴とする。
【０００９】
本発明の第３の観点は、前記本体部（２）には、前記信号中継コネクタ（２ｄ）が複数設けられており、それら複数の前記信号中継コネクタ（２ｄ）を介して、複数の前記インターフェースパネル（３）の信号中継コネクタ（３ｃ）が、前記本体部（２）に対してそれぞれ対応した位置で着脱可能に装着されて構成されることを特徴とする。
【００１０】
本発明の第４の観点は、前記信号処理部（１２、１３）は、前記本体部（２）に装着された複数のインターフェースパネル（３）から前記本体部（２）の各信号中継コネクタ（２ｄ）を介して受信する信号から、前記外部に出力すべき信号を択一的に選択する信号切替部（１２）を有して構成されることを特徴とする。
【００１１】
本発明の第５の観点は、前記複数のインターフェースパネル（３）は、それぞれ異なる種類のインターフェース端子（６）を有しており、
前記複数のインターフェースパネル（３）の各信号中継コネクタ（３ｃ）は、前記本体部（２）側に設けられた複数の信号中継コネクタ（２ｄ）のいずれにも接続可能に構成されることを特徴とする。
【００１２】
本発明の第６の観点は、前記信号切替部（１２）は、それまで選択していたインターフェースパネル（３）からの信号とは異なる信号を別のインターフェースパネル（３）から受信した場合、前記外部に出力すべき信号を当該別のインターフェースパネル（３）についての信号に切り替えるように制御することを特徴して構成される。
【００１３】
本発明の第７の観点は、切替スイッチが設けられたインターフェースパネル（３）が前記本体部（２）に接続されており、
前記切替スイッチが操作された場合、前記信号切替部（１２）は、前記外部に出力すべき信号を当該切替スイッチが操作されたインターフェースパネル（３）についての信号に切り替えるように制御することを特徴とする。
【００１４】
本発明の第８の観点は、前記本体部（２）には、ヒートシンク（２ｅ）が設けられていることを特徴とする。
【００１５】
本発明の第９の観点は、本発明の信号中継端子盤（１）におけるインターフェースパネル（３）である。
【００１６】
本発明の第１０の観点は、本発明の信号中継端子盤（１）における本体部（２）である。
【発明の効果】
【００１７】
本発明によれば、一つ以上のインターフェース端子（６）が設けられたインターフェースパネル（３）が、信号処理部（１２、１３）及び電源部（１０）の設けられた本体部（２）に対して所定幅の熱緩衝空間（Ｓ）を介して信号中継コネクタ（３ｃ、２ｄ）を着脱可能に装着されるので、信号処理部（１２、１３）や電源部（１０）等が設けられて発熱量が多い本体部（２）とインターフェースパネル（３）を、熱緩衝空間（Ｓ）を介して離隔して設けることができ、本体部（２）からの熱がインターフェースパネル（３）側に伝達しにくい構造とすることができる。
【００１８】
また、インターフェース端子（６）が設けられたインターフェースパネル（３）は、前記本体部（２）に対し着脱可能に装着されているので、不具合が生じることの多いインターフェース端子（６）が設けられたインターフェースパネル（３）を、本体部（２）とは別個に交換可能とすることができ、経済的かつ省資源である。
【００１９】
更に、複数のインターフェースパネル（３）が、それぞれ異なる種類のインターフェース端子（６）を有することで、ユーザのニーズに応じたインターフェース端子（６）を本体部（２）に装着して使用することができるばかりか、信号中継端子盤（１）の設置後においても、インターフェースパネル（３）の交換のみで、所望のインターフェース端子（６）を交換することができるので、カスタム対応や設置後の信号中継コネクタ等の変更が可能となり、極めて利便性が高い。
【００２０】
なお、括弧内の番号等は、図面における対応する要素を示す便宜的なものであり、従って、本記述は図面上の記載に限定拘束されるものではない。
【図面の簡単な説明】
【００２１】
【図１】図１は、本発明の１実施例による信号中継端子盤の正面図である。
【図２】図２は、図１の側面図である。
【図３】図３は、図１の信号中継端子盤の制御ブロック図である。
【図４】図４は、各種のインターフェースパネルの一例を示す図である。
【図５】図５は、インターフェースパネルの組み合わせ例を示す図である。
【図６】図６は、信号中継端子盤の本体部にインターフェースパネルを装着する際の工程図である。
【発明を実施するための形態】
【００２２】
以下、図面に基づき、本発明の実施例を説明する。
【００２３】
先ず、本発明の実施例である信号中継端子盤１の構造の一例を説明する。
信号中継端子盤１は、図１及び図２に示すように、箱状に形成された本体部２を有しており、本体部２の前面側、即ち、図２左側には、インターフェース部であるインターフェースパネル３が２枚、該インターフェースパネル３の図２上下両端に形成されたブラケット３ａ、３ａを介して、同様に本体部２の図２上下両端に形成されたブラケット２ａ、２ａを介してビスなどの適宜な締結手段２ｂ（中心線のみで、図示は省略）で着脱可能に接続されている。ここで、ブラケット２ａ及び３ａとこれらを接続するビスなどの締結手段２ｂには、金属製や樹脂製など任意の材料を用いることができるが、本体部２からインターフェースパネル３への熱伝導をより低減させたい場合、ブラケット２ａ及び３ａを樹脂で構成しても良い。本体部２にインターフェースパネル３が図２に示すように装着されると、本体部２とインターフェースパネル３間には、幅Ｗの熱緩衝空間Ｓが形成される。なお、この機械的な接続に際して、インターフェースパネル３と本体部２は、後述するように、本体部２に設けられた信号中継コネクタ２ｄ及びインターフェースパネル３に設けられた信号中継コネクタ３ｃを介して、電気的かつ機械的に着脱自在に接続される。
【００２４】
各インターフェースパネル３は、図２に示すように、基板３ｂを有する。この基板３ｂの表面には、映像入力コネクタ（ＨＤＭＩコネクタやＤ−ｓｕｂコネクタ等）、音声入力コネクタ、ＬＥＤ、スイッチ等のインターフェース端子６が１個以上設けられている。本実施例の場合、この基板３ｂに設けられるインターフェース端子６によって、多種多様なインターフェースパネル３を用意できる。なお、インターフェースパネル３のバリエーションの具体例については後述する。
【００２５】
一方、基板３ｂの裏面には、図２に示すように、信号中継コネクタ３ｃが設けられている。インターフェースパネル３は、この信号中継コネクタ３ｃと、同様に本体部２側に設けられた対応する信号中継コネクタ２ｄを介して、本体部２と電気的かつ機械的に接続される。インターフェースパネル３には、その種類にかかわらず、基板３ｂの所定の位置に共通の規格の信号中継コネクタ３ｃが配置されている。そのため、インターフェースパネル３は、本体部２に複数設けられた信号中継コネクタ２ｄを介して、本体部２の図１左右側にある装着位置Ａ、Ｂのいずれにも配置可能である。即ち、図１に示した２枚のインターフェースパネル３をその装着位置Ａ、Ｂを左右で交換して着脱できる。
【００２６】
また、各インターフェースパネル３は、図２左側から基板３ｂを覆うフェースプレート５を有する。このフェースプレート５には、インターフェース端子６の外形に対応した形状の穴５ａがそれぞれ穿設形成されており、図２に示すように、インターフェース端子６を当該穴５ａを介して外部から操作可能に突出させる形で配置できる。また、インターフェースパネル３は、図１に示すように、本体部２に設けられたリブ２ｃ部分を図１両側から挟む形で本体部２の前方に取り付けられるため、信号中継端子盤１を壁面などに埋め込んだ場合、フェースプレート５は、外方に向いた形で配置されて化粧板の一部として機能する。
【００２７】
なお、本体部２は、図２に示すように、その外周部側面に放熱用のヒートシンク２ｅが形成されていても良く、ヒートシンク２ｅは、本体部２の外周部側面の他にも、放熱条件に応じて外周部背面（フェースプレート５が装着される反対の面）など、適宜な位置に形成されても良い。また、ヒートシンク２ｅは、本体部２の外周面に限らず、図２の本体部２とインターフェースパネル３との間に設置して本体部２とインターフェースパネル３間のスペースを有効に活用することも可能である。更に、ヒートシンク２ｅは本体部２と一体的に形成され（即ち、ヒートシンク２ｅが本体部２の一部となっている）ていても、また本体部２とは別個の部品で形成されていても良い。
【００２８】
次に、信号中継端子盤１の制御系の一例を説明する。
信号中継端子盤１のインターフェースパネル３は、前述したインターフェース端子６及び信号中継コネクタ３ｃの他、図３に示すように、基板３ｂ等に搭載された制御部７及び変換部９を有する。制御部７は、インターフェース端子６、変換部９、及び信号中継コネクタ３ｃの少なくとも一部と電気的に接続されており、これらを制御する。変換部９は、インターフェース端子６及び信号中継コネクタ３ｃ間に接続されており、制御部７の制御に応じてインターフェース端子６から入力される信号を変換して信号中継コネクタ３ｃに出力する。
【００２９】
一方、本体部２は、前述の信号中継コネクタ２ｄの他、図３に示すように、電源部１０、制御部１１、映像・音声切替部１２、及び映像・音声通信部１３を有する。電源部１０は、信号中継コネクタ２ｄを介してインターフェースパネル３に必要な電源を供給する。制御部１１及び映像・音声切替部１２は、信号中継コネクタ２ｄから入力される信号を選択する。映像・音声通信部１３は、映像・音声切替部１２から入力される信号に必要な処理を施し図示しない映像機器に送信する。
【００３０】
次に、信号中継端子盤１の動作の一例を説明する。
図３に示すように、例えば、インターフェース端子６の一つである映像入力コネクタで受信した映像信号は、変換部９（映像イコライザやＡ／Ｄ変換等）によって中間信号（形式変換された映像信号）に変換されて信号中継コネクタ３ｃに送信される。信号中継コネクタ３ｃに送信された中間信号は、インターフェース端子６の一つである音声入力コネクタから入力される音声信号と共に映像・音声信号（例えば、ＨＤＭＩ信号とアナログ音声信号）として本体部２の信号中継コネクタ２ｄに送信される。複数のインターフェースパネル３のインターフェース端子６から本体部２のそれぞれの信号中継コネクタ２ｄに映像・音声信号が入力した場合、本体部２のそれぞれの信号中継コネクタ２ｄが受信した複数の映像・音声信号は、映像・音声切替部１２によって択一的に選択されて（映像・音声信号の選択は、信号中継端子盤１が信号を出力する図示しない映像機器から映像・音声通信部１３に伝達される制御信号Ｓ１に基づいて制御部１１が選択するが、信号選択の手法は、各種考えられる）、映像・音声通信部１３に送信され、当該選択された映像・音声信号は、映像・音声通信部１３から図示しない映像機器に送信される。なお、インターフェース端子６である音声入力コネクタで受信した音声信号は、図３のようにインターフェースパネル３の信号中継コネクタ３ｃに直接送信されても良いし、変換部９に送信されて映像信号と共に処理されても良い。
【００３１】
ここで、本体部２の映像・音声切替部１２は、新たな映像・音声信号等の信号をいずれかのインターフェースパネル３から受信すると、それまで選択していた別のインターフェースパネル３からの映像・音声信号等から、新たに入力されたインターフェースパネル３についての映像・音声信号等に選択を切り替えても良い（自動切替機能）。操作者によってインターフェースパネル３のインターフェース端子６の一つであるスイッチ等が操作された場合、映像・音声切替部１２は映像・音声通信部１３を介して外部に出力する信号を、そのインターフェースパネル３に関する映像・音声信号に切り替えても良い（手動切替機能）。
【００３２】
なお、図３に示すように、インターフェースパネル３にＬＥＤ等の表示手段を設けた場合、当該インターフェースパネル３の選択状態を表示することも可能である。また、１つのインターフェースパネル３に複数のインターフェース端子６とこれらに対応するＬＥＤ表示及び切替スイッチを設けた場合、当該切替スイッチによって当該インターフェースパネル３の複数あるインターフェース端子６から１つを選択すると共に、ＬＥＤ表示によって当該インターフェースパネル３の各インターフェース端子６の選択状態を表示することもできる。
【００３３】
次に、インターフェースパネル３とその組み合わせのバリエーションの例を説明する。
前述の通り、本実施例では、基板３ｂに設けられるインターフェース端子６によって様々なタイプのインターフェースパネル３を準備することができる。例えば、インターフェース端子６としてＨＤＭＩコネクタを備えたもの（図４（ａ）に示すＨＤＭＩ入力Ｉ／Ｆパネル）、Ｄ−ｓｕｂコネクタを備えたもの（図４（ｂ）に示すＤ−ｓｕｂ入力Ｉ／Ｆパネル）、ビデオ入力端子を備えたもの（図４（ｃ）に示すビデオ入力Ｉ／Ｆパネル）、ＵＳＢ  Ｔｙｐｅ−Ｃコネクタを備えたもの（図４（ｄ）に示すＵＳＢ  Ｔｙｐｅ−Ｃ  Ｉ／Ｆパネル）等が考えられる。このうちＵＳＢ  Ｔｙｐｅ−Ｃ  Ｉ／Ｆパネルは、スマートフォンとの接続に利用できるが、この場合、スマートフォンから映像信号を受信しつつ、スマートフォンを充電しても良い。また、本実施例の場合、一般的な接続端子の他、インターフェース端子６として、押しボタンや調整つまみ等の種々の操作インターフェースを備えても良い（図４（ｅ）及び（ｆ）に示す操作Ｉ／Ｆパネル）。インターフェース端子６を押しボタンとすれば、スクリーンの昇降、カーテンの開閉、照明の入切等の機能に割り当てることができる。他方、インターフェース端子６を調整つまみとすれば、音量の調整、調光等の機能を割り当てることができる。
【００３４】
また、前述の通り、インターフェースパネル３はその種類に関わらず、本体部２の任意の信号中継コネクタ２ｄに接続可能である。つまり、本体部２に複数の信号中継コネクタ２ｄが備わっていれば、同一又は異なる種類のインターフェースパネル３を自由な組み合わせで本体部２に装着することができる。例えば、操作Ｉ／Ｆパネル（押しボタン）とＨＤＭＩ入力Ｉ／Ｆパネルの組み合わせ（図５（ａ））、ビデオ入力Ｉ／Ｆパネルと操作Ｉ／Ｆパネル（調整つまみ）の組み合わせ（図５（ｂ））、ＨＤＭＩ入力Ｉ／ＦパネルとＵＳＢ  Ｔｙｐｅ−Ｃ  Ｉ／Ｆパネルの組み合わせ（図５（ｃ））、ＨＤＭＩ入力Ｉ／ＦパネルとＤ−ｓｕｂ入力Ｉ／Ｆパネルの組み合わせ（図５（ｄ））、ＨＤＭＩ入力Ｉ／Ｆパネルとビデオ入力Ｉ／Ｆパネルの組み合わせ（図５（ｅ））等が考えられる。なお、上記列挙したインターフェースパネル３とそれらの組み合わせはあくまでも例示であり、これに限定されるものではない。また、図４では、２つのインターフェースパネル３を組み合わせた例を示したが、本体部２の信号中継コネクタ２ｄの数や、それに対応するインターフェースパネル３の数は、１つであっても良いし、３つ以上であっても良い。
【００３５】
次に、上記構成を持つ信号中継端子盤１の設置手順の一例を説明する。
始めに、図６（ａ）に示すように、１つ以上のインターフェースパネル３（図６の場合は、２つ）と、インターフェースパネル３の数だけ信号中継コネクタ２ｄを有する本体部２を準備する。インターフェースパネル３は、ユーザの希望に応じて、例えば図５に示すバリエーションの中から選択すれば良い。続いて、図６（ｂ）に示すように、インターフェースパネル３を信号中継コネクタ２ｄ、３ｃ及び締結手段２ｂ（図２参照）を介して本体部２に接続する。なお、インターフェースパネル３と本体部２を接続する信号中継コネクタ２ｄ、３ｃは、全てのインターフェースパネル３に共通の規格（即ち、全て同一の中継コネクタを使用）で構成しているので、本体部２の図１左右側のどの信号中継コネクタ２ｄにも、インターフェースパネル３の信号中継コネクタ３ｃを接続することができ、作業性が良く、設置ミスも生じない。ここで、続く作業に備え、本体部２及びインターフェースパネル３を壁面や机上に予め設置された端子箱１５に取り付けるための取り付け金具１５ａ等を用意する。続いて、図６（ｃ）に示すように、本体部２及びインターフェースパネル３を端子箱１５内に埋め込み、取り付け金具１５ａを用いて固定する。ここで、続く作業に備え、端子箱１５に化粧パネル１５ｃを取り付けるための化粧枠１５ｂを用意する。この化粧枠１５ｂは、化粧パネル１５ｃを取り付けるための部品である。続いて、図６（ｄ）に示すように、化粧枠１５ｂを取り付け金具１５ａの上からビス等によって端子箱１５に固定する。ここで、続く作業に備え、インターフェースパネル３の数だけ開口部を持つ化粧パネル１５ｃを用意する。この化粧パネル１５ｃは、例えば裏面に対して化粧枠１５ｂに嵌合可能な爪が形成されている。最後に、図６（ｅ）に示すように、化粧枠１５ｂに化粧パネル１５ｃを取り付ける。これによって、本体部２や取り付け金具１５ａ等は、外部から覆い隠されることになる。以上が、信号中継端子盤１の設置手順である。
【００３６】
なお、信号中継端子盤１の設置後、ニーズの変更によって異なるインターフェース端子６を利用したい場合やインターフェース端子６が故障した場合等には、不要になったインターフェースパネル３を新たなインターフェースパネル３に交換するだけで良い。具体的には、図６を用いて説明した信号中継端子盤１の設置手順と逆の手順によって、不要となったインターフェースパネル３を本体部２から取り外し、再度、上記設置手順によって、新たなインターフェースパネル３を本体部２に取り付けるだけで良い。つまり、信号中継端子盤１によれば、本体部２やその他のインターフェースパネル３を引き続き利用できるため、経済的かつ省資源である。また、上記設置工程で用いた端子箱１５及びその付属品である取り付け金具１５ａ、化粧枠１５ｂ及び化粧パネル１５ｃは、市販の部品でも良い。この場合、部品の調達が容易となり、経済的にも有利となる。
【００３７】
最後に、本実施例の効果について説明する。
信号中継端子盤１の発熱は、前述の通り、主に電源部１０が搭載される本体部２から生じる。この点、本実施例によれば、図２に示すように、本体部２とインターフェースパネル３との間には、信号中継コネクタ２ｄ、３ｃを除いて、熱緩衝空間Ｓが介在している。そのため、本体部２からインターフェースパネル３への熱の伝達が効果的に低減され、インターフェースパネル３が熱くなってインターフェースパネル３が変形したり、利用者に無用な不安を与えたりすることを未然に防止できる。また、本体部２にヒートシンク２ｅを設けた場合、本体部２で効果的に放熱されるため、インターフェースパネル３への熱の伝達はより低減される。
【００３８】
また、信号中継端子盤１の場合、インターフェースパネル３の種類に関わらず、本体部２とインターフェースパネル３を同じ規格の信号中継コネクタ２ｄ、３ｃで接続するため、任意に組み合わせたインターフェースパネル３を任意の位置に配置することができる。そのため、本実施例によれば、ユーザのニーズに柔軟に対応することが可能である。
【００３９】
更に、本実施例によれば、信号中継端子盤１を設置した場合であっても、不要になった或いは故障したインターフェースパネル３のみを交換可能であるため、全体を交換する必要があった従来の信号中継端子盤１に比べて、経済的かつ省資源である。
【符号の説明】
【００４０】
２……本体部
２ｅ……ヒートシンク
３……インターフェースパネル
２ｄ、３ｃ……信号中継コネクタ
５……フェースプレート
６……インターフェース端子
９……変換部
１０……電源部
１２……信号処理部、信号切替部（映像・音声切替部）
１３……信号処理部（映像・音声通信部）
Ｓ……熱緩衝空間
【図１】
2019175916.tif 000003
【図２】
2019175916.tif 000004
【図３】
2019175916.tif 000005
【図４】
2019175916.tif 000006
【図５】
2019175916.tif 000007
【図６】
2019175916.tif 000008